(57)【要約】【課題】ＯＮＵの優先度に関わらず、ＲｅｇｉｓｔｅｒＲｅｑｕｅｓｔ信号同士の衝突を回避でき、ＯＮＵの通信リンク確立までの時間を短縮する。【解決手段】ＯＬＴ１は、ＯＮＵ４の識別情報及びＲＴＴ情報を格納する情報格納部１１１と、格納情報に基づきＯＮＵ４を一斉に通信リンク確立する場合にＲｅｇｉｓｔｅｒＲｅｑｕｅｓｔ信号同士が衝突することがないよう確立順序を決定する順序決定部１１３と、決定された順序に従い、ＯＮＵ４にユニキャストでＤｉｓｃｏｖｅｒｙＧＡＴＥ信号を送信するＯＬＴ側送信部（送信制御部１１４、光送信部１２２）とを備え、ＯＮＵ４は、ＤｉｓｃｏｖｅｒｙＧＡＴＥ信号を受信するＯＮＵ側受信部（受信検知部４１１、光受信部４２１）と、ＤｉｓｃｏｖｅｒｙＧＡＴＥ信号が受信された場合に、遅延なくＲｅｇｉｓｔｅｒＲｅｑｕｅｓｔ信号をＯＬＴ１に送信するＯＮＵ側送信部（送信制御部４１２、光送信部４２２）とを備えた。【選択図】図１
2015095756.tif 000002
【特許請求の範囲】
【請求項１】
ＯＬＴと、前記ＯＬＴに接続された複数のＯＮＵとを備えたＰＯＮシステムにおいて、
前記ＯＬＴは、
前記ＯＮＵを識別する識別情報及び前記ＯＮＵとの間のフレーム往復遅延時間に関するＲＴＴ情報を格納する情報格納部と、
前記情報格納部に格納された情報に基づいて、前記ＯＮＵを通信リンク確立する場合に当該ＯＮＵからのＲｅｇｉｓｔｅｒＲｅｑｕｅｓｔ信号同士が衝突することがないよう通信リンク確立順序を決定する順序決定部と、
前記順序決定部により決定された順序に従い、前記ＯＮＵに対してユニキャストでＤｉｓｃｏｖｅｒｙＧＡＴＥ信号を送信するＯＬＴ側送信部とを備え、
前記ＯＮＵは、
前記ＯＬＴからのＤｉｓｃｏｖｅｒｙＧＡＴＥ信号を受信するＯＮＵ側受信部と、
前記ＯＮＵ側受信部によりＤｉｓｃｏｖｅｒｙＧＡＴＥ信号が受信された場合に、ＲｅｇｉｓｔｅｒＲｅｑｕｅｓｔ信号を前記ＯＬＴに送信するＯＮＵ側送信部とを備えた
ことを特徴とするＰＯＮシステム。
【請求項２】
前記ＯＬＴは、
前記情報格納部に格納された情報に基づいて、フレーム往復遅延時間が等しい前記ＯＮＵが複数存在するかを判定する同一ＲＴＴ判定部を備え、
前記順序決定部は、前記同一ＲＴＴ判定部によりフレーム往復遅延時間が等しい前記ＯＮＵが複数存在すると判定された場合に、当該フレーム往復遅延時間が等しい複数の前記ＯＮＵに対する通信リンク確立順序を任意に決定する
ことを特徴とする請求項１記載のＰＯＮシステム。
【請求項３】
前記情報格納部は、保守者による登録操作に応じ、前記識別情報及び前記ＲＴＴ情報を予め格納する
ことを特徴とする請求項１又は請求項２記載のＰＯＮシステム。
【請求項４】
前記ＯＬＴは、
前記ＯＮＵとの間のフレーム往復遅延時間を定期的に測定するＲＴＴ測定部を備え、
前記情報格納部は、前記ＲＴＴ測定部による測定結果に基づいて該当する前記ＲＴＴ情報を更新する
ことを特徴とする請求項３記載のＰＯＮシステム。
【請求項５】
複数のＯＮＵに接続されたＯＬＴにおいて、
前記ＯＮＵを識別する識別情報及び前記ＯＮＵとの間のフレーム往復遅延時間を示すＲＴＴ情報を格納する情報格納部と、
前記情報格納部に格納された情報に基づいて、前記ＯＮＵを通信リンク確立する場合に当該ＯＮＵからのＲｅｇｉｓｔｅｒＲｅｑｕｅｓｔ信号同士が衝突することがないよう通信リンク確立順序を決定する順序決定部と、
前記順序決定部により決定された順序に従い、前記ＯＮＵに対してユニキャストでＤｉｓｃｏｖｅｒｙＧＡＴＥ信号を送信するＯＬＴ側送信部と
を備えたことを特徴とするＯＬＴ。
【請求項６】
ＯＬＴに接続された複数のＯＮＵにおいて、
前記ＯＬＴにより、前記ＯＮＵを識別する識別情報及び前記ＯＮＵとの間のフレーム往復遅延時間を示すＲＴＴ情報に基づいて前記ＯＮＵを通信リンク確立する場合に当該ＯＮＵからのＲｅｇｉｓｔｅｒＲｅｑｕｅｓｔ信号同士が衝突することがないよう通信リンク確立順序が決定され、その順序に従いユニキャストで送信されたＤｉｓｃｏｖｅｒｙＧＡＴＥ信号を、受信するＯＮＵ側受信部と、
前記ＯＮＵ側受信部によりＤｉｓｃｏｖｅｒｙＧＡＴＥ信号が受信された場合に、ＲｅｇｉｓｔｅｒＲｅｑｕｅｓｔ信号を前記ＯＬＴに送信するＯＮＵ側送信部と
を備えたことを特徴とするＯＮＵ。
【発明の詳細な説明】
【技術分野】
【０００１】
この発明は、局側終端装置（以下ＯＬＴ：Ｏｐｔｉｃａｌ  Ｌｉｎｅ  Ｔｅｒｍｉｎａｌ）と複数の加入者側終端装置（以下ＯＮＵ：Ｏｐｔｉｃａｌ  Ｎｅｔｗｏｒｋ  Ｕｎｉｔ）とで構成される光通信ネットワーク、特にＰＯＮ（Ｐａｓｓｉｖｅ  Ｏｐｔｉｃａｌ  Ｎｅｔｗｏｒｋ）システム、ＯＬＴ及びＯＮＵに関するものである。
【背景技術】
【０００２】
ＰＯＮシステムでは、１つのＯＬＴと複数のＯＮＵが光スプリッタなどのパッシブな光分岐器で接続され、ＯＬＴを頂点としたツリー状のネットワークを構成している。ＯＬＴからＯＮＵへの下り信号は、１本の幹線光ファイバを介して光分岐器まで送信され、当該光分岐器で分岐された後、支線光ファイバを介して全てのＯＮＵに送信される。また、ＯＮＵからＯＬＴへの上り信号は、各ＯＮＵから各支線光ファイバを介して光分岐器へ送信され、当該光分岐器から１本の幹線光ファイバを介してＯＬＴへ送信される。ＰＯＮシステムの制御は、ＩＥＥＥ８０２．３にて標準化されている。
【０００３】
ＯＮＵからＯＬＴへの上り信号に関して、複数のＯＮＵが信号を送信すると、各ＯＮＵから送信された信号同士の衝突が発生し、ＯＬＴ側で正しく信号を受信することができなくなる。このような信号の干渉を防止するため、各ＯＮＵからＯＬＴへ送信される上り信号は、限られた帯域の中で時分割送信する必要がある。そこで、予め各ＯＮＵを識別するための固有番号であるＬＬＩＤ（Ｌｏｇｉｃａｌ  Ｌｉｎｋ  ＩＤ）という識別子を各ＯＮＵに付与し、当該ＬＬＩＤを用いて各ＯＮＵに対し信号の送信タイミングを通知するようにしている。また、ＯＬＴから各ＯＮＵへ送信される下り信号の場合は、１本の幹線光ファイバから光分岐器で分岐されて全てのＯＮＵに送信されるため、各ＯＮＵでは、送信されるフレームのプリアンブルに収容されたＬＬＩＤを参照し、当該ＬＬＩＤが自己のＬＬＩＤと一致すればフレームを取り込み、一致しない場合はフレームを廃棄する処理を行う。
【０００４】
ここで、ＩＥＥＥ８０２．３では、ＯＬＴは、常に、新規に接続された未登録のＯＮＵを発見する準備のために、ＤｉｓｃｏｖｅｒｙＧＡＴＥ信号をブロードキャスト方式で全てのＯＮＵに送信している。ＤｉｓｃｏｖｅｒｙＧＡＴＥ信号は、ＬＬＩＤが付与されていないＯＮＵに対して信号の送信タイミングを通知する信号である。また、ＯＮＵは、信号同士の衝突を防止するため、ＯＬＴからのＧＡＴＥ信号（ＤｉｓｃｏｖｅｒｙＧＡＴＥ信号やＧｒａｎｔＧＡＴＥ信号など）を受信しない限り、信号を送信しない設定となっている。
そして、ＤｉｓｃｏｖｅｒｙＧＡＴＥ信号を受信した未登録のＯＮＵは、ランダムな時間でＲｅｇｉｓｔｅｒＲｅｑｕｅｓｔ信号を送信し、登録の要求、すなわちＬＬＩＤの付与を要求する。
【０００５】
次いで、ＯＬＴは、未登録ＯＮＵに対してＲｅｇｉｓｔｅｒ信号を送信し、ＬＬＩＤを付与する。また、ＯＬＴは、付与したＬＬＩＤを含むＧｒａｎｔＧＡＴＥ信号を該当ＯＮＵにユニキャスト方式で個別に通知する。ＯＬＴは、他のＯＮＵとのデータの混み具合を確認しながら、ＧｒａｎｔＧＡＴＥ信号にて送信帯域と送信タイミングを通知している。
次いで、ＯＮＵは、ＧｒａｎｔＧＡＴＥ信号を受信するとＲｅｇｉｓｔｅｒＡｃｋ信号を送信して、ＧｒａｎｔＧＡＴＥ信号を受信したことをＯＬＴに通知する。
以上によりＯＬＴとＯＮＵの通信リンクが確立される。
【０００６】
しかしながら、従来のＰＯＮシステムのＯＬＴでは、全てのＯＮＵに対してＤｉｓｃｏｖｅｒｙＧＡＴＥ信号を送信し、ＯＮＵからランダムに送信されるＲｅｇｉｓｔｅｒＲｅｑｕｅｓｔ信号に応じて、ＬＬＩＤ、送信帯域及び送信タイミングを通知している。そのため、未登録のＯＮＵの台数が多い場合、各ＯＮＵのＲｅｇｉｓｔｅｒＲｅｑｕｅｓｔ信号同士が衝突する可能性が高くなる。その結果、ＯＮＵの通信リンク確立までの処理に時間がかかり、システム全体のサービスを開始するまでに長時間を要するという課題があった。
そこで、システム全体のサービスを開始するまでの時間の短縮化を図ったＰＯＮシステムが知られている（例えば特許文献１，２参照）。
【０００７】
特許文献１に開示されたＰＯＮシステムでは、優先度の高いサービスを提供するＯＮＵに対し、優先的に通信リンク確立を行うように構成している。この場合、まず、ＯＬＴが全ＯＮＵにＧＡＴＥ信号を送信すると、各ＯＮＵが登録要求とともに自己が提供するサービスを特定するための識別子をＯＬＴへ送信する。次いで、ＯＬＴは、ＯＮＵから送信された識別子からサービスを特定し、サービスの優先度を規定した優先度テーブルを参照して、優先度の高いサービスを提供するＯＮＵからＬＬＩＤの付与を行う。
【０００８】
また、特許文献２に開示されたＰＯＮシステムでは、複数のＯＮＵのうち優先的に通信リンクを確立するＯＮＵとの間で、通信リンク確立に必要な処理を減らすことで、優先度の高いサービスを提供するＯＮＵとの通信リンクを短時間に確立している。
【先行技術文献】
【特許文献】
【０００９】
【特許文献１】特開２００６−２６２１２９号公報
【特許文献２】特開２００９−１８８５１９号公報
【発明の概要】
【発明が解決しようとする課題】
【００１０】
上述したように、従来のＰＯＮシステムでは、未登録のＯＮＵの台数が多い場合、各ＯＮＵのＲｅｇｉｓｔｅｒＲｅｑｕｅｓｔ信号同士が衝突する可能性が高くなり、それにより、通信リンク確立までの処理に時間がかかり、システム全体のサービスを開始するまでに長時間を要するという課題があった。
一方、特許文献１，２に開示された手法では、優先度の高いサービスを提供するＯＮＵに対して優先的に通信リンク確立を行うことで、又は、当該ＯＮＵに対する通信リンク確立に必要な処理を減らすことで、システム全体のサービスを開始するまでの時間の短縮化を図っている。しかしながら、これらの手法では、優先度が均一であるシステムに対しては、全ＯＮＵの通信リンク確立までの時間短縮に対する効果は期待できないという課題がある。
【００１１】
この発明は、上記のような課題を解決するためになされたもので、ＯＮＵの優先度に関わらず、ＯＮＵのＲｅｇｉｓｔｅｒＲｅｑｕｅｓｔ信号同士の衝突を回避でき、ＯＮＵの通信リンク確立までの時間を短縮することができるＰＯＮシステム、ＯＬＴ及びＯＮＵを提供することを目的としている。
【課題を解決するための手段】
【００１２】
この発明に係るＰＯＮシステムは、ＯＬＴと、ＯＬＴに接続された複数のＯＮＵとを備えたＰＯＮシステムにおいて、ＯＬＴは、ＯＮＵを識別する識別情報及びＯＮＵとの間のフレーム往復遅延時間に関するＲＴＴ情報を格納する情報格納部と、情報格納部に格納された情報に基づいて、ＯＮＵを通信リンク確立する場合に当該ＯＮＵからのＲｅｇｉｓｔｅｒＲｅｑｕｅｓｔ信号同士が衝突することがないよう通信リンク確立順序を決定する順序決定部と、順序決定部により決定された順序に従い、ＯＮＵに対してユニキャストでＤｉｓｃｏｖｅｒｙＧＡＴＥ信号を送信するＯＬＴ側送信部とを備え、ＯＮＵは、ＯＬＴからのＤｉｓｃｏｖｅｒｙＧＡＴＥ信号を受信するＯＮＵ側受信部と、ＯＮＵ側受信部によりＤｉｓｃｏｖｅｒｙＧＡＴＥ信号が受信された場合に、ＲｅｇｉｓｔｅｒＲｅｑｕｅｓｔ信号をＯＬＴに送信するＯＮＵ側送信部とを備えたものである。
【発明の効果】
【００１３】
この発明によれば、上記のように構成したので、ＯＮＵの優先度に関わらず、ＯＮＵのＲｅｇｉｓｔｅｒＲｅｑｕｅｓｔ信号同士の衝突を回避でき、ＯＮＵの通信リンク確立までの時間を短縮することができる。
【図面の簡単な説明】
【００１４】
【図１】この発明の実施の形態１に係るＰＯＮシステムの構成を示す図である。
【図２】この発明の実施の形態１に係るＰＯＮシステムの通信リンク確立のシーケンスを示す図である。
【図３】この発明の実施の形態２に係るＰＯＮシステムの構成を示す図である。
【図４】この発明の実施の形態２に係るＰＯＮシステムの通信リンク確立のシーケンスを示す図である。
【発明を実施するための形態】
【００１５】
以下、この発明の実施の形態について図面を参照しながら詳細に説明する。
実施の形態１．
図１はこの発明の実施の形態１に係るＰＯＮシステムの構成を示す図である。
ＰＯＮシステムは、図１に示すように、局側の終端装置であるＯＬＴ１と、このＯＬＴ１に光ファイバ２及び光分岐器３を介して接続された加入者側の終端装置である複数のＯＮＵ４と、ＯＬＴ１を監視する監視制御端末５とを備えている。
【００１６】
ＯＬＴ１は、図１に示すように、ＰＯＮ制御部１１及び光送受信部１２を備えている。
【００１７】
ＰＯＮ制御部１１は、ＰＯＮインターフェースの制御を行うものである。このＰＯＮ制御部１１は、情報格納部１１１、ＲＴＴ測定部１１２、順序決定部１１３及び送信制御部１１４を備えている。
【００１８】
情報格納部１１１は、ＯＬＴ１に接続されたＯＮＵ４を識別する識別情報（ＯＮＵ４のＭＡＣアドレス等）及び、フレーム往復遅延時間（以下ＲＴＴ：Ｒｏｕｎｄ  Ｔｒｉｐ  Ｔｉｍｅ）に関するＲＴＴ情報を格納するデータベースである。
なお、情報格納部１１１は、監視制御端末５よりアクセス可能である。そして、保守者は、監視制御端末５を介して、ＯＮＵ４の識別情報及びＲＴＴ情報の登録操作を行い、情報格納部１１１はこの登録操作に応じて、これらの情報を初期情報として予め格納する。また、情報格納部１１１は、ＲＴＴ測定部１１２によりＯＬＴ１とＯＮＵ４との間のＲＴＴが測定された場合には、その測定結果に基づいて該当するＲＴＴ情報を更新する。
【００１９】
ＲＴＴ測定部１１２は、ＯＬＴ１とＯＮＵ４との間のＲＴＴを定期的に測定するものである。
【００２０】
順序決定部１１３は、情報格納部１１１に格納された情報に基づいて、ＯＮＵ４を通信リンク確立する場合に当該ＯＮＵ４からのＲｅｇｉｓｔｅｒＲｅｑｕｅｓｔ信号同士が衝突することがないよう通信リンク確立順序を決定するものである。
送信制御部１１４は、順序決定部１１３により決定された順序に従い、ＯＮＵ４に対してユニキャストで送信するＤｉｓｃｏｖｅｒｙＧＡＴＥ信号の送信制御を行うものである。
【００２１】
光送受信部１２は、ＯＮＵ４との間で信号の送受信を行うものである。この光送受信部１２は、光受信部１２１、光送信部１２２及びＷＤＭ部１２３を備えている。
光受信部１２１は、ＯＮＵ４からの上り信号を受信するものである。
光送信部１２２は、ＯＮＵ４への下り信号を送信するものである。
ＷＤＭ部１２３は、光受信部１２１に受信される上り信号及び光送信部１２２により送信された下り信号を合波するものである。
ここで、送信制御部１１４及び光送信部１２２は、本発明の「前記順序決定部により決定された順序に従い、前記ＯＮＵに対してユニキャストでＤｉｓｃｏｖｅｒｙＧＡＴＥ信号を送信するＯＬＴ側送信部」に相当する。
【００２２】
一方、ＯＮＵ４は、図１に示すように、ＰＯＮ制御部４１及び光送受信部４２を備えている。なお図１では、ＯＮＵ♯Ａについてのみ内部構成を示しているが、他のＯＮＵ４（ＯＮＵ♯Ｂ，ＯＮＵ♯Ｃ）についても同様に構成されている。
ＰＯＮ制御部４１は、ＰＯＮインターフェースの制御を行うものである。このＰＯＮ制御部４１は、受信検知部４１１及び送信制御部４１２を備えている。
【００２３】
受信検知部４１１は、光送受信部４２（後述する光受信部４２１）によるＤｉｓｃｏｖｅｒｙＧＡＴＥ信号の受信を検知するものである。
送信制御部４１２は、受信検知部４１１によりＤｉｓｃｏｖｅｒｙＧＡＴＥ信号の受信が検知された場合に、ＲｅｇｉｓｔｅｒＲｅｑｕｅｓｔ信号の送信制御を行うものである。
【００２４】
光送受信部４２は、ＯＬＴ１との間で信号の送受信を行うものである。この光送受信部４２は、光受信部４２１、光送信部４２２及びＷＤＭ部４２３を備えている。
光受信部４２１は、ＯＬＴ１からの下り信号を受信するものである。
光送信部４２２は、ＯＬＴ１への上り信号を送信するものである。
ＷＤＭ部４２３は、光受信部４２１に受信される下り信号及び光送信部４２２により送信された上り信号を合波するものである。
ここで、受信検知部４１１及び光受信部４２１は、本発明の「前記ＯＬＴからのＤｉｓｃｏｖｅｒｙＧＡＴＥ信号を受信するＯＮＵ側受信部」に相当する。また、送信制御部４１２及び光送信部４２２は、「前記受信部によりＤｉｓｃｏｖｅｒｙＧＡＴＥ信号が受信された場合に、ＲｅｇｉｓｔｅｒＲｅｑｕｅｓｔ信号を前記ＯＬＴに送信するＯＮＵ側送信部」に相当する。
【００２５】
次に、上記のように構成されたＰＯＮシステムにおいて、ＯＮＵ４を通信リンク確立する場合の動作について、図２を参照しながら説明する。
ＯＮＵ４を通信リンク確立する場合、まず、ＯＬＴ１のＰＯＮ制御部１１の順序決定部１１３は、情報格納部１１１に格納されたＯＮＵ４の識別情報及びＲＴＴ情報を参照する。ここで、ＲＴＴは、ＯＬＴ１とＯＮＵ４との距離が長いほど、長い時間が設定される。例えば、ＯＬＴ１とＯＮＵ４との距離が２０ｋｍ（キロメートル）以下とすると、ＲＴＴは、ＯＬＴ１及びＯＮＵ４での各処理時間と２０ｋｍの光伝送時間とを考慮して、最大２００μｓ（マイクロ秒）程度となる。
【００２６】
そして、順序決定部１１３は、参照した情報に基づいて、ＯＮＵ４を通信リンク確立する場合に当該ＯＮＵ４からのＲｅｇｉｓｔｅｒＲｅｑｕｅｓｔ信号同士が衝突することがないよう通信リンク確立順序を決定する。すなわち、ＯＬＴ１は、ＲＴＴ情報を元に、ＯＬＴ１に接続された全ＯＮＵ４に対して最短時間でＬＬＩＤを付与できる最適な順番を決定する。
【００２７】
次いで、ＰＯＮ制御部１１の送信制御部１１４は、順序決定部１１３により決定された順序に従い、全ＯＮＵ４に対して、一台ごとにユニキャストで送信するＤｉｓｃｏｖｅｒｙＧＡＴＥ信号の送信制御を行う。そして、光送信部１２２は、送信制御部１１４による制御に従い、ＯＮＵ４に対してユニキャストでＤｉｓｃｏｖｅｒｙＧＡＴＥ信号を送信する。
【００２８】
次いで、ＯＮＵ４の光受信部４２１は、ＯＬＴ１からのＤｉｓｃｏｖｅｒｙＧＡＴＥ信号を受信し、受信検知部４１１はこれを検知する。
次いで、送信制御部４１２は、受信検知部４１１によるＤｉｓｃｏｖｅｒｙＧＡＴＥ信号の受信検知に応じ、ＲｅｇｉｓｔｅｒＲｅｑｕｅｓｔ信号の送信制御を行う。そして、光送信部４２２は、送信制御部４１２による制御に従い、ＯＬＴ１に対してＲｅｇｉｓｔｅｒＲｅｑｕｅｓｔ信号を送信する。
【００２９】
図２に示すように、ＯＬＴ１にて、ＯＮＵ４に対するＤｉｓｃｏｖｅｒｙＧＡＴＥ信号の送信順序を一意に決定してユニキャストで送信し、ＯＮＵ４にて、当該信号を受信後、ＲｅｇｉｓｔｅｒＲｅｑｕｅｓｔ信号を返信することで、ＲｅｇｉｓｔｅｒＲｅｑｕｅｓｔ信号の送信タイミングが他のＯＮＵ４と一致することはない。よって、他のＯＮＵ４との間で、ＲｅｇｉｓｔｅｒＲｅｑｕｅｓｔ信号同士の衝突を防ぐことができる。
その結果、ＯＮＵ４の通信リンク確立までの時間を短縮することができる。
【００３０】
なお、ＲＴＴ測定部１１２では、ＯＬＴ１とＯＮＵ４との間のＲＴＴを定期的に測定しているため、情報格納部１１１に格納されたＲＴＴ情報もそれに伴い更新される。
【００３１】
また、ＯＮＵ４のリンク断もしくは電源断が発生した場合、ＯＬＴ１は、そのＯＮＵ４の最新のＲＴＴ情報をもとに、ＲＴＴ情報格納部７を更新する。そして、次回、そのＯＮＵ４が再通信リンク確立を試みた場合は、更新後のＲＴＴ情報格納部７の情報を参照し、上記と同様の動作を繰り返す。
ここで、１台のＯＮＵ４にリンク断、電源断が発生し再登録を試みる場合、従来技術では、ＤｉｓｃｏｖｅｒｙＧＡＴＥ信号を受信後、ランダムな時間（遅延させて）ＲｅｇｉｓｔｅｒＲｅｑｕｅｓｔ信号を送っている。そのため、必然的に何かしらの遅延が発生することになる。それに対し、本発明では、１台のＯＮＵ４が再登録を試みる場合であってもランダムな時間を遅延させずＲｅｇｉｓｔｅｒＲｅｑｕｅｓｔ信号を送るため、遅延の発生を回避することができる。また、例えば複数のＯＮＵ４（例えばＯＮＵ♯ＡとＯＮＵ♯Ｂ）が時間差で再登録を行った場合には、ＲＴＴ情報格納部７の情報を参照して、ＯＮＵ♯ＡからのＲｅｇｉｓｔｅｒＲｅｑｕｅｓｔ信号の受信時間を計算し、次にＯＮＵ♯ＢへのユニキャストのＤｉｓｃｏｖｅｒｙＧＡＴＥ信号を送信するタイミングを制御する。
【００３２】
以上のように、この実施の形態１によれば、ＯＬＴ１にて、ＲＴＴに基づきＯＮＵ４に対するＤｉｓｃｏｖｅｒｙＧＡＴＥ信号の送信順序を一意に決定してユニキャストで送信し、ＯＮＵ４にて、当該信号を受信後、ＲｅｇｉｓｔｅｒＲｅｑｕｅｓｔ信号を返信するように構成したので、ＲｅｇｉｓｔｅｒＲｅｑｕｅｓｔ信号同士の衝突を回避することができる。その結果、ＯＮＵ４の優先度に関わらず、ＯＮＵ４を通信リンク確立する際の立ち上がり時間のばらつきを抑えることができ、ＯＮＵ４の通信リンク確立までの時間を短縮することができる。
【００３３】
実施の形態２．
図３はこの発明の実施の形態２に係るＰＯＮシステムの構成を示す図である。図３に示す実施の形態２に係るＰＯＮシステムは、図１に示す実施の形態１に係るＰＯＮシステムのＰＯＮ制御部１１に同一ＲＴＴ判定部１１５を追加したものである。また、ＯＮＵ４のうち、ｎ（ｎは、２〜ＯＬＴ１が接続可能なＯＮＵ４の最大数）台のＯＮＵ４は、ＯＬＴ１との距離が等距離であり、線路条件も等しいとする（図３では、ＯＮＵ♯Ｂ，ＯＮＵ♯Ｃ，ＯＮＵ♯Ｄが等距離、等線路条件である場合を示している）。その他の構成は同一であり、同一の符号を付して異なる箇所についてのみ説明を行う。
【００３４】
同一ＲＴＴ判定部１１５は、情報格納部に格納された情報に基づいて、ＲＴＴが等しいＯＮＵ４が複数存在するかを判定するものである。
また、順序決定部１１３は、同一ＲＴＴ判定部１１５によりＲＴＴが等しいＯＮＵ４が複数存在すると判定された場合に、当該ＲＴＴが等しい複数のＯＮＵ４に対する通信リンク確立順序を任意に決定する。
【００３５】
ここで、ＯＬＴ１との距離が等距離で、線路条件も等しいＯＮＵ４が複数存在する場合、それらのＲＴＴは同じとなる。そのため、ＯＮＵ４を通信リンク確立する場合での当該ＯＮＵ４からのＲｅｇｉｓｔｅｒＲｅｑｕｅｓｔ信号同士が衝突することがない通信リンク確立順序は複数パタン存在することになる。
そこで、ＲＴＴが等しいＯＮＵ４が複数存在する場合には、順序決定部１１３は、それらのＯＮＵ４に対して、情報格納部１１１への格納順などに基づき任意の順番を決定する。
そして、図４に示すように、送信制御部１１４は、上記ＲＴＴが等しい複数のＯＮＵ４に対しては、上記任意に決定された順序に従い、ユニキャストで送信するＤｉｓｃｏｖｅｒｙＧＡＴＥ信号の送信制御を行う。
【００３６】
以上のように、この実施の形態２によれば、ＲＴＴが等しいＯＮＵ４に対して任意の順番を決定して信号送信を行うように構成したので、ＲｅｇｉｓｔｅｒＲｅｑｕｅｓｔ信号同士の衝突を回避することができる。その結果、ＯＮＵ４の優先度に関わらず、ＯＮＵ４を通信リンク確立する際の立ち上がり時間のばらつきを抑えることができ、ＯＮＵ４の通信リンク確立までの時間を短縮することができる。
【００３７】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００３８】
１  ＯＬＴ、２  光ファイバ、３  光分岐器、４  ＯＮＵ、５  監視制御端末、１１，４１  ＰＯＮ制御部、１２，４２  光送受信部、１１１  情報格納部、１１２  ＲＴＴ測定部、１１３  順序決定部、１１４，４１２  送信制御部、１１５  同一ＲＴＴ判定部、１２１，４２１  光受信部、１２２，４２２  光送信部、１２３，４２３  ＷＤＭ部、４１１  受信検知部。
【図１】
2015095756.tif 000003
【図２】
2015095756.tif 000004
【図３】
2015095756.tif 000005
【図４】
2015095756.tif 000006